(57)【要約】【課題】情報量が膨大となることなく部品情報及び作業情報を統合的に管理可能で、且つ異なる階層の部品情報及び作業情報であってもこれらを一律に管理することができるプラント情報の管理装置を提供する。【解決手段】入力手段と演算手段と出力手段とを有し、プラントを構成する部品情報と作業情報とを統合的に管理するプラント情報の管理装置において、プラントを構成する共通部品情報に部品コードが対応付けられた部品コードデータベース、及び作業情報のうち動作を示す共通動詞情報に動詞コードが対応付けられた動詞コードデータベースを含むデータ格納手段を有し、前記演算手段は、部品情報又は動詞情報を共通化する部品・動詞共通化部を含み、前記部品・動詞共通化部で共通化された部品情報及び動詞情報に基づいて部品コードデータベース又は動詞コードデータベースから該当する部品コード及び動詞コードを抽出し、該部品コードと動詞コードとを組み合わせて工事計画又は見積り表又は日報等の作成情報に付加させる構成とした。【選択図】  図２
2012128761.tif 000002
【特許請求の範囲】
【請求項１】
情報を入力する入力手段と、入力された情報をもとに演算処理を行う演算手段と、演算結果を出力する出力手段とを有し、プラントを構成する部品情報と、該部品情報に対応した作業情報とを統合的に管理するプラント情報の管理装置において、
前記部品情報が、異なるプラント若しくは設備又はプロジェクトにて共通化して表わされ、共通部品情報に部品コードが対応付けられた部品コードデータベース、及び前記作業情報のうち動作を示す動詞情報が、異なるプラント若しくは設備又はプロジェクトにて共通化して表わされ、共通動詞情報に動詞コードが対応付けられた動詞コードデータベースを含むデータ格納手段を有しており、
前記演算手段は、前記入力手段から入力された前記部品情報又は前記動詞情報を共通化する部品・動詞共通化部を含み、前記部品・動詞共通化部で共通化された前記共通部品情報及び前記共通動詞情報に基づいて前記部品コードデータベース又は前記動詞コードデータベースから該当する前記部品コード及び前記動詞コードを抽出し、該抽出した前記部品コードとこれに対応する前記動詞コードとを組み合わせて工事計画又は見積り表又は日報等の作成情報に付加させることを特徴とするプラント情報の管理装置。
【請求項２】
前記データ格納手段は、前記入力手段から入力された前記部品情報を前記共通部品情報に変換する部品変換データベースと、前記入力手段から入力された前記動詞情報を前記共通動詞情報に変換する動詞変換データベースとを含み、
前記部品・動詞共通化部は、前記入力手段から入力された前記部品情報を前記部品変換データベースを用いて前記共通部品情報に変換するとともに、前記入力手段から入力された前記動詞情報を前記動詞変換データベースを用いて前記共通動詞情報に変換することを特徴とする請求項１に記載のプラント情報の管理装置。
【請求項３】
前記部品・動詞共通化部は、前記共通部品情報の複数の選択肢又は前記共通動詞情報の複数の選択肢を前記出力手段に表示させ、前記複数の選択肢から前記入力手段で前記共通部品情報又は前記共通動詞情報を選択させるようにしたことを特徴とする請求項１に記載のプラント情報の管理装置。
【請求項４】
前記データ格納手段は、複数の作業項目が作業工程順に並べられ、該作業項目ごとに前記共通部品情報と前記共通動詞情報とからなる複数の詳細作業情報がパッケージ化されて組み込まれた品質管理工程データベースを含み、
前記演算手段は、前記部品・動詞共通化部で共通化された前記共通部品情報及び前記共通動詞情報に基づいて前記複数の詳細作業情報ごとに前記部品コード及び前記動詞コードを抽出し、該抽出した前記部品コード及び前記動詞コードを前記品質管理工程データベースに付加させることを特徴とする請求項１乃至３のいずれか一項に記載のプラント情報の管理装置。
【請求項５】
前記演算手段は、前記入力手段から前記作業項目が選択されることにより該作業項目に紐付けられた前記詳細作業情報を抽出して工事計画を作成する工事計画作成部を含むことを特徴とする請求項４に記載のプラント情報の管理装置。
【請求項６】
前記品質管理工程データベースには、前記詳細作業情報ごとの作業員人数又は部品数が蓄積されており、
前記演算手段は、前記入力手段から前記詳細作業情報が選択されることにより前記作業員人数又は部品数を抽出し、それぞれの単価及び原単位を用いて費用を算出した見積り表を作成する見積り表作成部を含むことを特徴とする請求項４又は５に記載のプラント情報の管理装置。
【請求項７】
前記品質管理工程データベースには、前記詳細作業情報ごとの作業員人数又は部品数が蓄積されており、
前記演算手段は、前記入力手段から前記部品コード又は前記動詞コードが選択されることにより前記部品コード又は前記動詞コードに紐付けられた前記詳細作業情報の前記作業員人数又は部品数を抽出し、それぞれの単価及び原単位を用いて費用を算出した見積り表を作成する見積り表作成部を含むことを特徴とする請求項４又は５に記載のプラント情報の管理装置。
【請求項８】
前記データ格納手段は、オペレーション又はメンテナンスに関する日報データベースを含み、
前記演算手段は、作業日ごとの前記部品コード及び前記動詞コードを前記日報データベースに付加させる日報作成部を含むことを特徴とする請求項１乃至７のいずれか一項に記載のプラント情報の管理装置。
【発明の詳細な説明】
【技術分野】
【０００１】
本発明は、プラントの各部品に関する情報とこれに対応した作業に関する情報とを統合的に管理するプラント情報の管理装置に関する。
【背景技術】
【０００２】
一般に、プラントは、複数の部品、機器、装置、又は設備が集合して付加価値を生み出す機能を発揮する施設のことをいい、例えば、火力発電プラント、原子力発電プラント、石油化学プラント、石油精製プラント、ごみ処理プラントなど各種のプラントが存在する。プラントにおいては、多数の部品が用いられるため、これらの部品情報を管理するためにＢＯＭ（Bill  Of  Materials）が広く用いられている。ＢＯＭは、機器、装置、又は設備を組み立てる時の部品の一覧を示すものであり、機器、装置、又は設備がどの部品から構成されるかという関係を示したリストで部品表もしくは部品構成表あるいは部品展開表等とも呼ばれている。ＢＯＭは、ツリー状又は階層的に構造化されている場合もある。なお、以下ではプラントを構成する機器、装置または設備も部品に含まれるものとする。
【０００３】
一方、プラントにおけるプロジェクトは、E(Engineering：設計)、P（Procurement：調達）、C(Construction：建設・試運転)と呼ばれるプラントの建設から試運転までの各プロジェクト、及びＯ＆Ｍ（Operation＆Meintenance）と呼ばれる運転及び保守に関する各プロジェクトなど多肢にわたっている。これらのプロジェクトにおける各作業情報の有用な管理システムとして、ＷＢＳ（Work  Breakdown  System）が広く用いられている。ＷＢＳはプロジェクトの作業をツリー状又は階層的に細分化したタスクとして登録したものである。
【０００４】
これらのツールを用いてプラント情報を管理する方法として、例えば特許文献１（特開２００３−２３３４１９号公報）では、プラントの保守作業を高度に管理することができるプラント保守支援システムを提案している。このシステムは、プラント設備に関する保守作業手順情報を有する施工管理データベースと、予定作業日程情報を有する工程データベースとを備えている。保守作業を選択する際には、部品情報の階層化メニュー（特許文献１の図６参照）から選択するようになっている。この階層化メニューは、ツリー状に構成される部品と、各部品に対してその作業内容が関連付けられた構成となっている。
【先行技術文献】
【特許文献】
【０００５】
【特許文献１】特開２００３−２３３４１９号公報
【発明の概要】
【発明が解決しようとする課題】
【０００６】
しかしながら、従来のプラント情報の管理技術においては、ＢＯＭとＷＢＳとが互いに階層化された構成を有する場合、これらを統合的に管理することは困難であった。例えば特許文献１では、ある階層の部品に対して作業をツリー状に紐付けているが、他の階層の部品には作業が紐付けられておらず特定の作業しか登録できないか、若しくは新たにその階層においてもツリー状に作業を紐付ける必要があった。
【０００７】
特に、プラントにおいては、プラントを構成する部品及び作業が極めて多く存在するため、部品情報や作業情報等のプラント情報を適性に且つ互いの関連性を容易に把握できるような情報管理技術が求められている。また、プラントでは、その部品によって階層化のレベルが異なることがある。例えば購入した部品と製造した部品のように入手先が異なる場合、必要とされる部品情報又は把握可能な部品情報の階層化レベルが異なることがある。そこで、階層化レベルが異なる場合であってもこれら一律に管理することができる情報管理技術が求められている。
【０００８】
したがって、本発明はかかる従来技術の問題に鑑み、部品情報及び作業情報を統合的に管理可能で、且つ異なる階層の部品情報及び作業情報であってもこれらを一律に管理することができるプラント情報の管理装置を提供することを目的とする。
【課題を解決するための手段】
【０００９】
上記の課題を解決するために、本発明に係るプラント情報の管理装置は、情報を入力する入力手段と、入力された情報をもとに演算処理を行う演算手段と、演算結果を出力する出力手段とを有し、プラントを構成する部品情報と、該部品情報に対応した作業情報とを統合的に管理するプラント情報の管理装置において、前記部品情報が、異なるプラント若しくは設備又はプロジェクトにて共通化して表わされ、共通部品情報に部品コードが対応付けられた部品コードデータベース、及び前記作業情報のうち動作を示す動詞情報が、異なるプラント若しくは設備又はプロジェクトにて共通化して表わされ、共通動詞情報に動詞コードが対応付けられた動詞コードデータベースを含むデータ格納手段を有しており、前記演算手段は、前記入力手段から入力された前記部品情報又は前記動詞情報を共通化する部品・動詞共通化部を含み、前記部品・動詞共通化部で共通化された前記共通部品情報及び前記共通動詞情報に基づいて前記部品コードデータベース又は前記動詞コードデータベースから該当する前記部品コード及び前記動詞コードを抽出し、該抽出した前記部品コードとこれに対応する前記動詞コードとを組み合わせて工事計画又は見積り表又は日報等の作成情報に付加させることを特徴とする。
【００１０】
本発明によれば、共通部品情報と共通動詞情報とそれぞれコード化し、これらのコードを適宜組み合わせて用いることにより、異なる階層の部品情報又は作業情報であってもこれらを自在に関連付けることが可能で、且つ階層化レベルに関わらず部品情報と作業情報との関連性を容易に把握できるようになり、情報の合理的な統合化が可能となる。さらにまた、これにより情報量の低減が可能となる。なお、前記作業情報とは、ここでは部品情報と動詞情報とを組み合わせて構成されるものとする。
また、部品・動詞共通化部により部品情報及び動詞情報を共通化して共通部品情報及び共通動詞情報として用いることにより、異なるプラント（異なる地域を含む）若しくは設備又はプロジェクトにおいて情報を互いにリンクさせることが可能となる。なお、前記プロジェクトとは、E(Engineering：設計)、P（Procurement：調達）、C(Construction：建設・試運転）と呼ばれるプラントの建設から試運転までの各プロジェクト、及びＯ＆Ｍ（Operation＆Meintenance）と呼ばれる運転及び保守に関する各プロジェクト等をいう。
さらにまた、工事計画又は見積り表又は日報等の作成情報が共通した部品コード及び動詞コードで表されるため、異なる作業者が情報を取り扱う場合であっても作成情報を標準化することが可能となる。
【００１１】
また、前記データ格納手段は、前記入力手段から入力された前記部品情報を前記共通部品情報に変換する部品変換データベースと、前記入力手段から入力された前記動詞情報を前記共通動詞情報に変換する動詞変換データベースとを含み、前記部品・動詞共通化部は、前記入力手段から入力された前記部品情報を前記部品変換データベースを用いて前記共通部品情報に変換するとともに、前記入力手段から入力された前記動詞情報を前記動詞変換データベースを用いて前記共通動詞情報に変換することが好ましい。
【００１２】
このように、入力手段から入力された部品情報又は動詞情報を部品変換データベース又は動詞変換データベースを用いて共通部品情報又は共通動詞情報に変換することにより、同一部品又は動詞において異なる表現を有する場合であっても、対応する部品コード又は動詞コードを正確に抽出することが可能となる。さらにまた、入力された部品情報又は動詞情報を部品変換データベース又は動詞変換データベースを用いて変換する構成としたため、入力段階では自由な入力が行える。
【００１３】
また、前記部品・動詞共通化部は、前記共通部品情報の複数の選択肢又は前記共通動詞情報の複数の選択肢を前記出力手段に表示させ、前記複数の選択肢から前記入力手段で前記共通部品情報又は前記共通動詞情報を選択させることが好ましい。
このように、出力手段に表示させた複数の選択肢から入力手段により共通部品情報又は共通動詞情報を選択させる構成とすることにより、同一部品又は動詞において異なる表現を有する場合であっても、対応する部品コード又は動詞コードを正確に抽出することが可能となる。さらにまた、入力段階で複数の選択肢から共通部品情報又は共通動詞情報を選択する構成であるため、選択肢にない項目を選べないことから登録された共通部品情報又は共通動詞情報を確実に選択することができる。
【００１４】
また、前記データ格納手段は、複数の作業項目が作業工程順に並べられ、該作業項目ごとに前記共通部品情報と前記共通動詞情報とからなる複数の詳細作業情報がパッケージ化されて組み込まれた品質管理工程データベースを含み、前記演算手段は、前記部品・動詞共通化部で共通化された前記共通部品情報及び前記共通動詞情報に基づいて前記複数の詳細作業情報ごとに前記部品コード及び前記動詞コードを抽出し、該抽出した前記部品コード及び前記動詞コードを前記品質管理工程データベースに付加させることが好ましい。
このように、作業項目ごとに複数の詳細作業情報がパッケージ化された品質管理工程データベースを含むことにより、作業内容の詳細が明確に把握できるようになる。
【００１５】
さらに、前記演算手段は、前記入力手段から前記作業項目が選択されることにより該作業項目に紐付けられた前記詳細作業情報を抽出して工事計画を作成する工事計画作成部を含むことが好ましい。
これにより、作業項目を選択するのみで詳細作業情報を含む工事計画を短時間で容易に作成することが可能となる。
【００１６】
また、前記品質管理工程データベースには、前記詳細作業情報ごとの作業員人数又は部品数が蓄積されており、前記演算手段は、前記入力手段から前記詳細作業情報が選択されることにより前記作業員人数又は部品数を抽出し、それぞれの単価及び原単位を用いて費用を算出した見積り表を作成する見積り表作成部を含むことが好ましい。
これにより、品質管理工程データベースから正確な見積り表を容易に作成することが可能となる。
【００１７】
さらに、前記品質管理工程データベースには、前記詳細作業情報ごとの作業員人数又は部品数が蓄積されており、前記演算手段は、前記入力手段から前記部品コード又は前記動詞コードが選択されることにより前記部品コード又は前記動詞コードに紐付けられた前記詳細作業情報の前記作業員人数又は部品数を抽出し、それぞれの単価及び原単位を用いて費用を算出した見積り表を作成する見積り表作成部を含むことが好ましい。
これにより、部品コード又は動詞コードを選択するのみでこれらに紐付けられた詳細作業情報の見積り表を容易に作成することが可能となる。また、部品コード又は動詞コードに関連した見積り表を作成することが可能であるため、様々な観点から見積り表を自由に作成することが可能となる。
【００１８】
さらにまた、前記データ格納手段は、オペレーション又はメンテナンスに関する日報データベースを含み、前記演算手段は、作業日ごとの前記部品コード及び前記動詞コードを前記日報データベースに付加させる日報作成部を含むことが好ましい。
これにより、日報作成者が異なる場合であっても標準化された日報を作成することが可能となる。
【発明の効果】
【００１９】
以上記載のように本発明によれば、本発明によれば、共通部品情報と共通動詞情報とそれぞれコード化し、これらのコードを適宜組み合わせて用いることにより、異なる階層の部品情報又は作業情報であってもこれらを自在に関連付けることが可能で、且つ階層化レベルに関わらず部品情報と作業情報との関連性が容易に把握できるようになり、情報の合理的な統合化が可能となる。さらにまた、これにより情報量の低減が可能となる。
また、部品・動詞共通化部により部品情報及び動詞情報を共通化して共通部品情報及び共通動詞情報として用いることにより、異なるプラント若しくは設備又はプロジェクトにおいて情報を互いにリンクさせることが可能となる。
さらにまた、工事計画又は見積り表又は日報等の作成情報が共通した部品コード及び動詞コードで表されるため、異なる作業者が情報を取り扱う場合であっても作成情報を標準化することが可能となる。
【図面の簡単な説明】
【００２０】
【図１】本発明の実施形態に係るプラント情報の管理装置の構成図である。
【図２】部品コードデータベースの一例を示す図である。
【図３】動詞コードデータベースの一例を示す図で、（Ａ）はメンテナンス用のデータベース、（Ｂ）はオペレーション用のデータベースをそれぞれ示す。
【図４】部品変換データベースの一例を示す図である。
【図５】動詞変換データベースの一例を示す図である。
【図６】部品・動詞変換した工事日報の一例を示す図である。
【図７】工事日報入力フォームの一例を示す図である。
【図８】基本的なＱＣ工程データベースの一例を示す図である。
【図９】作業員人数及び部品数を含むＱＣ工程データベースの一例を示す図である。
【図１０】ＱＣ工程データベースを用いた工事計画作成例を説明する図である。
【図１１】ＱＣ工程データベースを用いた他の工事計画作成例を説明する図である。
【図１２】見積り表の一例を示す図である。
【図１３】日報一覧データベースの一例を示す図である。
【図１４】機歴管理データベースの一例を示す図である。
【図１５】工事詳細情報データベースの一例を示す図である。
【発明を実施するための形態】
【００２１】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００２２】
まず最初に、図１を参照して本発明の実施形態に係るプラント情報の管理装置１の構成を説明する。
このプラント情報の管理装置１は、プラントを構成する部品情報と、該部品情報に対応した作業情報とを統合的に管理する装置である。
部品情報とは、ＢＯＭ（Bill Of Materials）により階層的に表される情報であり、プラントを構成する機器、装置または設備も部品に含まれるものとする。また作業情報は、ＷＢＳ（Work Breakdown System）によりプロジェクトの作業を階層的に細分化して表される情報であり、ここでは部品情報と動詞情報とを組み合わせて構成されるものとする。また、プラントとは、複数の部品が集合して付加価値を生み出す機能を発揮する施設のことをいい、例えば、火力発電プラント、原子力発電プラント、石油化学プラント、石油精製プラント、ごみ処理プラント等である。なお、本実施形態内の具体的な説明では、焼却炉と溶融炉とを含むごみ処理プラントを例に挙げて説明する。
【００２３】
本実施形態に係るプラント情報の管理装置は、入力手段１と、記憶手段２と、出力手段３と、データ格納手段１０と、演算手段２０とを有する。
入力手段１は、情報を入力する手段であり、例えばマウスやキーボード等が用いられる。
記憶手段２は、演算手段２０の求めに応じて素早くデータを送ったり、演算手段２０から返された演算結果等を一時的に保持する。例えば記憶手段２としては、ＲＡＭ（Random  Access  Memory）等のバッファメモリが用いられる。
出力手段３は、演算手段２０による演算結果や各種データベース等を出力する。例えば出力手段３としては、表示モニタ等が用いられる。
【００２４】
データ格納手段１０は、部品コードデータベース１１と、動詞コードデータベース１２とを含む。さらに好適には、部品変換データベース１３と、動詞変換データベース１４と、品質管理（ＱＣ：Quality Control）工程データベース１５と、工事計画データベース１６と、見積り表データベース１７と、日報データベース１８とのうちいずれかを適宜含む。
【００２５】
部品コードデータベース１１は、部品情報が、異なるプラント（異なる地域を含む）若しくは設備又はプロジェクトにて共通化して表わされ、この共通化された共通部品情報にそれぞれ部品コードが対応付けられて格納されている。図２は部品コードデータベースの一例を示す図である。同図に示すように、号炉コード番号、設備コード番号、機器コード番号、詳細コード番号の順に、上位から下位に階層化された共通部品情報ごとにコード番号が付与されている。ここで、号炉とは例えば１号焼却炉、２号焼却炉等であり、設備とは例えば受入供給設備等であり、機器とはごみ計量装置、脱臭装置等であり、詳細（詳細名）とは例えばＮｏ．１ごみトラックスケール、Ｎｏ．２ごみトラックスケール等である。また装置コード番号は、号炉に関わらず同一種類の装置に付与されるコード番号である。
【００２６】
動詞コードデータベース１２は、作業情報のうち動作を示す動詞情報が、異なるプラント若しくは設備又はプロジェクトにて共通化して表わされ、共通動詞情報に動詞コードが対応付けられて格納されている。図３は動詞コードデータベースの一例を示す図で、（Ａ）はメンテナンス用のデータベース、（Ｂ）はオペレーション用のデータベースをそれぞれ示す。これらの図に示すように、共通動詞情報ごとに動詞コード番号が付与されている。さらに、共通動詞情報ごとに作業種別名称とこれに対応した作業種別コード番号が紐付けられていてもよい。なお、メンテナンス用の共通動詞情報とオペレーション用の共通動詞情報とは同一であってもよいが、図３（Ａ）と（Ｂ）に示すようにメンテナンス用とオペレーション用とを分けてそれぞれ登録していてもよい。
【００２７】
部品変換データベース１３、動詞変換データベース１４、品質管理（ＱＣ：Quality
Control）工程データベース１５と、工事計画データベース１６、見積り表データベース１７、日報データベース１８については後述する。
【００２８】
演算手段２０は、入力手段１から入力された情報をもとに演算処理を行う。この演算手段２０は、例えばＣＰＵ（Central  Processing  Unit）やＭＰＵ（Micro  Processing  Unit）等を有し、記憶手段２に記憶されたプログラムを実行することにより、ソフトウェア的に複数の機能ブロックとして機能する。演算手段２０の機能ブロックは、部品・動詞共通化部２１を含む。さらに好適には、演算手段２０の機能ブロックは、工事計画作成部２２、見積り表作成部２３、日報作成部２４、機歴管理部２５を適宜含んでいてもよい。
【００２９】
部品・動詞共通化部２１は、入力手段１から入力された部品情報又は動詞情報を共通化して共通部品情報又は共通動詞情報を取得する。
そして演算手段２０は、部品・動詞共通化部２１で共通化された部品情報及び動詞情報に基づいて部品コードデータベース１１又は動詞コードデータベース１２から該当する部品コード及び動詞コードを抽出し、該抽出した前記部品コードとこれに対応する動詞コードとを組み合わせて工事計画又は見積り表又は日報等の作成情報に付加させる。
【００３０】
このように本実施形態によれば、共通部品情報と共通動詞情報とそれぞれコード化し、これらのコードを適宜組み合わせて用いることにより、異なる階層の部品情報又は作業情報であってもこれらを自在に関連付けることが可能で、且つ階層化レベルに関わらず部品情報と作業情報との関連性を容易に把握できるようになり、情報の合理的な統合化が可能となる。さらにまた、これにより情報量の低減が可能となる。
また、部品・動詞共通化部２１により部品情報及び動詞情報を共通化して共通部品情報及び共通動詞情報として用いることにより、異なるプラント若しくは設備又はプロジェクトにおいて情報を互いにリンクさせることが可能となる。
さらにまた、工事計画又は見積り表又は日報等の作成情報が共通した部品コード及び動詞コードで表されるため、異なる作業者が情報を取り扱う場合であっても作成情報を標準化することが可能となる。
【００３１】
ここで部品・動詞共通化部２１の具体的な第１構成例を説明する。
第１構成例においては、データ格納手段１０は、部品変換データベース１３と、動詞変換データベース１４とを含む。
部品変換データベース１３は、図４に示すように入力手段１から入力された部品情報を共通部品情報に変換する際に用いられるデータベースである。ここで、図４は部品変換データベースの一例を示す図である。この部品変換データベース１３は、入力手段１から入力された、異なるプラントにおける現地独自名称や異なるプロジェクトにおける独自名称に対して、同一部品には同一の共通部品情報を対応させて登録している。
【００３２】
動詞変換データベース１４は、図５に示すように入力手段１から入力された動詞情報を共通動詞情報に変換する際に用いられるデータベースである。ここで、図５は部動詞変換データベースの一例を示す図である。この動詞変換データベース１３は、力手段１から入力された、異なるプラントにおける現地独自名称や異なるプロジェクトにおける独自名称に対して、同一の意味を表す動詞には同一の共通動詞情報を対応させて登録している。
【００３３】
部品・動詞共通化部２１は、入力手段１から入力された部品情報を部品変換データベース１３を用いて共通部品情報に変換するとともに、入力手段１から入力された動詞情報を動詞変換データベース１４を用いて共通動詞情報に変換する。
図６は、一例としてメンテナンス日報にこの部品・動詞共通化部２１を適用した場合を示している。入力手段１から入力した作業情報に含まれる単語を部品変換データベース１３及び動詞変換データベース１３から検索し、該検索された共通部品情報と共通動詞情報とを組み合わせて変換後作業情報として日報に記載する。さらに、変換後作業情報のうち共通部品情報に対応する部品コード番号を部品コードデータベース１１から抽出して日報内に付加するとともに、共通動詞情報に対応する動詞コード番号を動詞コードデータベース１２から抽出して日報内に付加する。
【００３４】
このように、入力手段１から入力された部品情報又は動詞情報を部品変換データベース１３又は動詞変換データベース１４を用いて共通部品情報又は共通動詞情報に変換することにより、同一部品又は動詞において異なる表現を有する場合であっても、対応する部品コード又は動詞コードを正確に抽出することが可能となる。さらにまた、入力された部品情報又は動詞情報を部品変換データベース１３又は動詞変換データベース１４を用いて変換する構成としたため、入力段階では自由な入力が行える。
【００３５】
次いで、部品・動詞共通化部２１の具体的な第２構成例を説明する。
この部品・動詞共通化部２１は、共通部品情報の複数の選択肢又は共通動詞情報の複数の選択肢を出力手段３に表示させ、複数の選択肢から入力手段１で共通部品情報又は共通動詞情報を選択させる構成となっている。
図７は工事日報入力フォームの一例を示す図である。この工事日報入力フォームは、出力手段３であるモニタ画面に表示される。工事日報入力フォームには、階層化された共通部品情報が表示されている。さらに各階層の共通部品情報ごとにプルダウンメニューにより複数の選択肢が展開され、この複数の選択肢からマウス等の入力手段１により共通部品情報が選択されるようになっている。同様に、共通動詞情報においてもプルダウンメニューにより複数の選択肢が展開され、この複数の選択肢から入力手段１により共通動詞情報が選択されるようになっている。この他に、工事日報入力フォームでは職種や工数、作業時間等が入力できるように構成してもよい。
【００３６】
このように、出力手段３に表示させた複数の選択肢から入力手段１により共通部品情報又は共通動詞情報を選択させる構成とすることにより、同一部品又は動詞において異なる表現を有する場合であっても、対応する部品コード又は動詞コードを正確に抽出することが可能となる。さらにまた、入力段階で複数の選択肢から共通部品情報又は共通動詞情報を選択する構成であるため、選択肢にない項目を選べないことから登録された共通部品情報又は共通動詞情報を確実に選択することができる。
【００３７】
次に、図８及び図９を参照して、データ格納手段１０に含まれるＱＣ工程データベース１５について説明する。ここで、図８は基本的なＱＣ工程データベース１５の一例を示す図で、図９は作業員人数及び部品数を含むＱＣ工程データベースの一例を示す図である。
ＱＣ工程データベース１５は、複数の作業項目が作業工程順に並べられ、該作業項目ごとに共通部品情報と共通動詞情報とからなる複数の詳細作業情報がパッケージ化されて組み込まれている。図８に示すようにＱＣ工程データベース１５には、例えば階層化されたＱＣレベル０で表される作業項目と、ＱＣレベル１〜ＱＣレベル３までの共通部品情報が記載されている。さらに各ＱＣレベルの共通部品情報に対応した一連の部品コード番号が記載されている。また、部品コード番号ごとに対応する共通動詞情報と動詞コード番号が記載されている。図中の名称欄には、共通部品情報と共通動詞情報とを組み合わせた名称が記載されている。
【００３８】
演算手段２０では、部品・動詞共通化部２１で共通化された共通部品情報及び共通動詞情報に基づいて複数の詳細作業情報ごとに部品コード及び動詞コードを抽出し、該抽出した部品コード及び動詞コードをＱＣ工程データベース１５に付加させ、図９に示したようなＱＣ工程データベースを作成するようになっている。
このように、作業項目ごとに複数の詳細作業情報がパッケージ化されたＱＣ工程データベース１５を含むことにより、作業内容の詳細が明確に把握できるようになる。さらに、詳細作業情報を部品コード及び動詞コードで表すことにより、階層化レベルに関わらず部品情報と作業情報との関連性を容易に把握できるようになり、ＱＣ工程データベース１５において情報の合理的な統合化が図れる。
【００３９】
また、図９に示すように、ＱＣ工程データベース１５には詳細作業情報ごとの作業員人数又は部品数とその原単位が記載されていてもよい。なお、同図では数量欄に作業員人数又は部品数が入力され、単位欄にその部品数の単位（人工又は本、個等）が入力されている。この作業員人数又は部品数は、例えば過去の工事実績から推定される適正な数値が入力される。このとき、過去の工事実績から部品コード番号又は動詞コード番号を用いて作業員人数又は部品数を集計し、適正な数値を推定するようにしてもよい。
【００４０】
図１０及び図１１を参照して、ＱＣ工程データベース１５を用いた工事計画作成例を説明する。図１０はＱＣ工程の作業項目から工事計画を作成する場合を示し、図１１はＱＣ工程の詳細作業内容から工事計画を作成する場合を示す。
図１０に示すように、工事計画作成部２２は、ＱＣ工程データベース１５を出力手段３に表示させ、ＱＣレベル（ＬＶ）０で示されるＱＣ工程の作業項目のうち工事に必要とされる作業項目が入力手段１で選択されることにより、この作業項目内に組み込まれた詳細作業情報のパッケージが全て選択される。そして、工事計画作成部２２では、選択された詳細作業情報を抽出して工事計画データベース１６を作成する。
これにより、作業項目を選択するのみで詳細作業情報を含む工事計画を短時間で容易に作成することが可能となる。
【００４１】
また、図１１に示すように、工事計画作成部２２は、工事に必要とされる部品コード番号又は名称（共通部品情報と共通動詞情報とを組み合わせた名称）が入力手段１で複数選択され、この選択された詳細作業情報を抽出して工事計画を作成するようにしてもよい。
これにより、必要とされる工事内容に沿った緻密な工事計画を作成することが可能となる。
【００４２】
さらに、図１２に示すように、上記したＱＣ工程データベース１５を用いて見積り表を作成するようにしてもよい。このとき、ＱＣ工程データベース１５には、詳細作業情報ごとの作業員人数又は部品数が蓄積されている。
演算手段２０の見積り表作成部２３は、入力手段１から詳細作業情報が選択されることによりこれに対応した作業員人数又は部品数を抽出し、それぞれの単価及び原単位を用いて費用を算出した見積り表データベース１７を作成する。なお単価は、作業員種別又は部品種別ごとの単価が登録された単価データベース（不図示）を用いて取得することが好ましい。
【００４３】
具体的に見積り表には、単価と数量（原単位）と単位（人工又は本、個等）、及び詳細作業情報ごとの見積金額と総合計金額とを記載することが好ましい。また、見積り表には、図１２に示すようにＢＯＭ紐付け欄に記載された部品コード番号と、動詞欄に記載された動詞コード番号とを含むことが好ましい。これらのコード番号を含むことにより、部品コード番号又は動詞コード番号を用いて、必要な費用を集計することが可能となる。
このように見積り表作成部２３を有することにより、正確な見積り表を容易に作成することが可能となる。
【００４４】
また見積り表作成部２３は、入力手段１から部品コード又は動詞コードが選択されることにより部品コード又は動詞コードに紐付けられた詳細作業情報の作業員人数又は部品数を抽出し、それぞれの単価及び原単位を用いて費用を算出した見積り表を作成する構成としてもよい。
これにより、部品コード又は動詞コードを選択するのみでこれらに紐付けられた詳細作業情報の見積り表を容易に作成することが可能となる。また、部品コード又は動詞コードに関連した見積り表を作成することが可能であるため、様々な観点から見積り表を自由に作成することが可能となる。
【００４５】
また、本実施形態に係るプラント情報の管理装置は、オペレーション又はメンテナンスに関する日報を作成する機能を有していてもよい。本構成では、データ格納手段１０が日報データベース１８を含み、演算手段２０が日報作成部２４を含んでいる。
日報作成部２４は、作業日ごとに部品コード及び動詞コードを日報データベース１８に入力して図６又は図７に示したような日報を作成する。これにより、日報作成者が異なる場合であっても標準化された日報を作成することが可能となる。
さらにまた、図１３に示すように、複数の日報データベース１８から部品コード又は動詞コードを用いて必要なデータを抽出し、日報一覧データベースを作成してもよい。
【００４６】
さらに、本実施形態に係るプラント情報の管理装置は、部品コード、又は部品コードと動詞コードを組み合わせた詳細作業情報を用いて機歴管理を行う機歴管理部２５を有していてもよい。図１４は機歴管理データベースの一例を示す図で、図１５は工事詳細情報データベースの一例を示す図である。
図１４に示すように、機歴管理データベースは、号炉コード番号と装置コード番号とを含む部品コード番号と、共通部品情報である部品名称とを記載し、これらの部品に対して一定期間における所定工事の有無を記号で示している。図中、○はその部品に対して工事を行ったことを意味し、×はその部品に対して工事を行っていないことを意味する。工事を行った欄には、図１５に示すように工事詳細情報データベースが関連付けられている。工事詳細情報データベースには、工事番号、工事日付、作業員の職種、人員、作業名称、工数等が記録されている。
このように機歴管理部２５により部品別の機歴管理データベースを作成し、部品ごとに部品コード番号を入力することによって、部品コードにより必要な部品情報を簡単に集計することが可能となる。
【符号の説明】
【００４７】
１    入力手段
２    記憶手段
３    出力手段
１０  データ格納手段
１１  部品コードデータベース
１２  動詞コードデータベース
１３  部品変換データベース
１４  動詞変換データベース
１５  ＱＣ工程データベース
１６  工事計画データベース
１７  見積り表データベース
１８  日報データベース
２０  演算手段
２１  部品・動詞共通化部
２２  工事計画作成部
２３  見積り表作成部
２４  日報作成部
２５  機歴管理部
【図１】
2012128761.tif 000003
【図２】
2012128761.tif 000004
【図３】
2012128761.tif 000005
【図４】
2012128761.tif 000006
【図５】
2012128761.tif 000007
【図６】
2012128761.tif 000008
【図７】
2012128761.tif 000009
【図８】
2012128761.tif 000010
【図９】
2012128761.tif 000011
【図１２】
2012128761.tif 000012
【図１３】
2012128761.tif 000013
【図１４】
2012128761.tif 000014
【図１５】
2012128761.tif 000015
【図１０】
2012128761.tif 000016
【図１１】
2012128761.tif 000017